(57)【要約】【課題】    接続されたプリンタの能力情報、自装置の能力情報に応じて、操作メニューを構築することができるスキャナおよびその操作メニュー表示制御方法を提供する。【解決手段】  スキャナ１０とプリンタ２０は、ＵＳＢケーブル７０にて接続されたコピー機能を有し、接続時にプリンタ能力情報２２２取得してスキャナ記憶部１２に展開し、スキャナ能力情報１２１、各種操作画面の表示項目、表示条件を管理する画面管理情報１２３に基づいて、スキャナ表示部１５１における操作画面の表示制御を行う。【選択図】  図１
2007088887.tif 000002
【特許請求の範囲】
【請求項１】
プリンタにネットワーク接続あるいはローカル接続され、前記プリンタに対して読み取った画像をコピージョブとして出力することで複写機能を実現するスキャナにおいて、
前記複写機能の操作メニューを表示部に表示するメニュー表示手段と、
前記プリンタから能力情報を受信する能力情報受信手段と、
前記能力情報に基づいて提供可能な前記複写機能に関する印刷設定の項目を決定する提供可能設定項目決定手段と、
前記提供可能機能選択手段にて決定された設定項目に基づいて、前記メニュー表示手段によって表示される前記操作メニューの表示内容を選択表示する表示制御手段と
を具備することを特徴とするスキャナ。
【請求項２】
前記能力情報受信手段により前記プリンタから受信する能力情報は、
前記プリンタにおける記憶容量に関する情報であり、
前記表示制御手段は、
前記メニュー表示手段によって表示される前記操作メニューの表示内容を前記プリンタにおける記憶容量のサイズにより提供可能な印刷機能で表示する
ことを特徴とする請求項１に記載のスキャナ。
【請求項３】
前記能力情報受信手段により前記プリンタから受信する能力情報は、
前記プリンタで給紙可能な印刷用紙のサイズに関する情報であり、
前記表示制御手段は、
前記メニュー表示手段によって表示される前記操作メニューの表示内容を前記プリンタで給紙可能な印刷用紙のサイズにより提供可能な拡大、縮小の組合せで表示する
ことを特徴とする請求項１に記載のスキャナ。
【請求項４】
前記能力情報受信手段により前記プリンタから受信する能力情報は、
前記プリンタの給紙機構による両面印刷機能に関する情報であり、
前記表示制御手段は、
前記メニュー表示手段によって表示される前記操作メニューの表示内容を前記プリンタで提供可能な両面印刷機能で表示する
ことを特徴とする請求項１に記載のスキャナ。
【請求項５】
前記能力情報受信手段により前記プリンタから受信する能力情報は、
前記画像を印刷する時の画像処理機能に関する情報であり、
前記表示制御手段は、
前記メニュー表示手段によって表示される前記操作メニューの表示内容を前記プリンタで提供可能な画像処理機能で表示する
ことを特徴とする請求項１に記載のスキャナ。
【請求項６】
前記能力情報受信手段により前記プリンタから受信する能力情報は、
前記画像を印刷するときの色変換処理機能に関する情報である
ことを特徴とする請求項１に記載のスキャナ。
【請求項７】
プリンタにネットワーク接続あるいはローカル接続され、前記プリンタに対して読み取った画像をコピージョブとして出力することで複写機能を実現するスキャナの操作メニュー表示制御方法において、
前記複写機能の操作メニューを表示部に表示するメニュー表示手段と、
前記プリンタから能力情報を能力情報受信手段により受信し、
前記能力情報に基づいて提供可能な前記複写機能に関する印刷設定の項目を提供可能設定項目決定手段により決定し、
前記提供可能機能選択手段にて決定された設定項目に基づいて、前記メニュー表示手段によって表示される前記操作メニューの表示内容を表示制御手段により選択表示する
ことを特徴とするスキャナの操作メニュー表示制御方法。
【発明の詳細な説明】
【技術分野】
【０００１】
本発明は、プリンタにネットワーク接続あるいはローカル接続され、読み取った画像プリンタに対してをコピージョブとして出力することで複写機能を実現するスキャナスおよびその操作メニュー表示制御方法に関し、詳しくは、プリンタの能力情報に基づき操作可能な操作メニューの表示内容を選択表示することで操作性の向上を図ったスキャナスおよびその操作メニュー表示制御方法に関する。
【背景技術】
【０００２】
最近、スキャナにプリンタをネットワーク接続し、スキャナで読み取った画像をコピージョブとしてプリンタに送信することで、パーソナルコンピュータを介さずにコピー機能を実現するシステムが提案されている。
【０００３】
このようなシステムにおいては、スキャナに接続されるプリンタの機種は一定ではなくその機能も種々のものが接続される。
【０００４】
この場合、スキャナの操作ニューで上記コピー機能を実現するための各種設定項目を設定しても、その機能がプリンタ側になかったり、その機能が制限されていると、所望の印刷結果が得られなかったり、場合によってはエラーとなる場合がある。
【０００５】
複写機能の操作メニューとして操作パネルに表示されるＵＩは、その倍率の判例として、用紙サイズの拡縮例を表記するのが一般的であり、画像読取装置がサポートする定型サイズと、読み取った画像を印刷する画像出力装置側がサポートする定型サイズに基づいて選択可能な倍率が決定される。
【０００６】
また、スキャナがカラースキャナの場合、モノクロプリンタで使用可能な機能が、カラープリンタで使用可能な機能よりも選択可能な項目が制限される。
【０００７】
したがって、接続されたプリンタの機種に応じて表示内容を変更しなければならない。
【０００８】
また、スキャナにて読み取る原稿が両面印刷されているか否か、および、プリンタが両面印刷を行う給紙機構をもっているか否かによって、両面印刷における印刷出力面の指定パターンを変更する必要がある。
【０００９】
このように、スキャナとプリンタが接続された構成で、複写機能を実現する場合、上記に示した複写機能に関する各種機能の操作メニューを、機器の能力、および、読取原稿の種類によって変更する必要がある。
【００１０】
ところで、従来、スキャナにて読み取った画像をプリンタで印刷する複写機能に関する技術として、特許文献１にて開示された「情報処理装置及び画像処理方法及び記録媒体及びプログラム」がある。
【００１１】
上記特許文献１の発明は、複写機能を使用する際に、画像を読み取るための設定操作と、読み取った画像を印刷する際の設定操作を、装置構成によらず容易にすることを目的とし、複写機能に関する画像読取処理に関する入力設定情報と、印刷処理に関する出力設定情報を、予め記憶手段に記憶し、操作者が選択した画像処理モードにて画像処理を行うようにしている。
【特許文献１】特開２００２−３４５９７４号公報
【発明の開示】
【発明が解決しようとする課題】
【００１２】
しかし、上記特許文献１のように、接続が想定される機種の能力に応じた設定情報を、スキャナ、および、プリンタの記憶手段に対して事前に登録しなければならないといった問題と、接続構成が変更する度に、使用する設定情報を変更しなければならない。
【００１３】
さらに、事前に設定情報を登録した機種以外の装置は、使用できないといった問題が生じた。
【００１４】
そこで、本発明は、スキャナがプリンタのもつ能力情報を接続時に受信して検知し、検知した能力情報に基づいて、複写機能のメニュー表示制御を行うことで、操作性の向上を図ったスキャナスおよびその操作メニュー表示制御方法を提供することを目的とする。
【課題を解決するための手段】
【００１５】
上記目的を達成するために、請求項１の発明は、プリンタにネットワーク接続あるいはローカル接続され、プリンタに対して読み取った画像をコピージョブとして出力することで複写機能を実現するスキャナにおいて、複写機能の操作メニューを表示部に表示するメニュー表示手段と、プリンタから能力情報を受信する能力情報受信手段と、能力情報に基づいて提供可能な複写機能に関する印刷設定の項目を決定する提供可能設定項目決定手段と、提供可能機能選択手段にて決定された設定項目に基づいて、メニュー表示手段によって表示される操作メニューの表示内容を選択表示する表示制御手段とを具備することを特徴とする。
【００１６】
また、請求項２は、請求項１の発明において、能力情報受信手段によりプリンタから受信する能力情報は、プリンタにおける記憶容量に関する情報であり、表示制御手段は、メニュー表示手段によって表示される操作メニューの表示内容をプリンタにおける記憶容量のサイズにより提供可能な印刷機能で表示することを特徴とする。
【００１７】
また、請求項３の発明は、請求項１の発明において、能力情報受信手段によりプリンタから受信する能力情報は、プリンタで給紙可能な印刷用紙のサイズに関する情報であり、表示制御手段は、メニュー表示手段によって表示される操作メニューの表示内容をプリンタで給紙可能な印刷用紙のサイズにより提供可能な拡大、縮小の組合せで表示することを特徴とする。
【００１８】
また、請求項４の発明は、請求項１の発明において、能力情報受信手段によりプリンタから受信する能力情報は、プリンタの給紙機構による両面印刷機能に関する情報であり、表示制御手段は、メニュー表示手段によって表示される操作メニューの表示内容をプリンタで提供可能な両面印刷機能で表示することを特徴とする。
【００１９】
また、請求項５の発明は、請求項１の発明において、能力情報受信手段によりプリンタから受信する能力情報は、画像を印刷する時の画像処理機能に関する情報であり表示制御手段は、メニュー表示手段によって表示される操作メニューの表示内容をプリンタで提供可能な画像処理機能で表示することを特徴とする。
【００２０】
また、請求項６の発明は、請求項１の発明において、能力情報受信手段によりプリンタから受信する能力情報は、画像を印刷するときの色変換処理機能に関する情報であることを特徴とする請求項１に記載のスキャナ。
【００２１】
また、請求項７の発明は、プリンタにネットワーク接続あるいはローカル接続され、プリンタに対して読み取った画像をコピージョブとして出力することで複写機能を実現するスキャナの操作メニュー表示制御方法において、複写機能の操作メニューを表示部に表示するメニュー表示手段と、プリンタから能力情報を能力情報受信手段により受信し、能力情報に基づいて提供可能な複写機能に関する印刷設定の項目を提供可能設定項目決定手段により決定し、提供可能機能選択手段にて決定された設定項目に基づいて、メニュー表示手段によって表示される操作メニューの表示内容を表示制御手段により選択表示することを特徴とする。
【発明の効果】
【００２２】
本発明のスキャナおよびその操作メニュー表示制御方法によれば、スキャナの能力情報、プリンタの能力情報に基づいて選択可能な設定項目のみを表示するので、複写エラーを防止することができる。
【００２３】
スキャナに接続されるプリンタが別の機種に変更され、プリンタの能力に変更が生じた場合でも、能力の変更に応じてメニューの表示内容を再構築するので、使用者は、特別な設定情報の登録、変更操作を行うことなく、また、スキャナの能力、プリンタの能力を意識することなく複写機能を容易に操作して利用することができる。
【発明を実施するための最良の形態】
【００２４】
本発明のスキャナおよびその操作メニュー表示制御方法について、添付図面を参照しながら説明する。
【実施例】
【００２５】
（システム構成）
図１は、本発明のスキャナおよびその操作メニュー表示制御方法を適用した印刷システムの構成例、および、スキャナ１０、プリンタ２０の構成例を示すブロック図である。
【００２６】
図１において、スキャナ１０は、原稿画像を読み取る従来の画像読取機能と、読み取った画像を、ＵＳＢケーブルにて接続されたプリンタ２０にて印刷する複写機能（以後、コピー機能と称す）を有する。  ここで、スキャナ１０は、プリンタ２０に対してＵＳＢホストとして動作し、プリンタ２０側はＵＳＢクライアントとして動作する。
【００２７】
また、スキャナ１０は、プリンタ２０の接続を検知した場合、プリンタ２０の能力情報を取得する機能を有し、取得した能力情報と、スキャナ１０の能力情報に基づいて、スキャナ操作パネルのスキャナ表示部に表示する操作メニューの表示制御を行う。
【００２８】
プリンタ２０は、給紙トレイ、排紙トレイの情報と、給紙トレイにおいては、搭載して給紙可能な定型用紙の最大サイズ、および、両面印刷が可能であるか否か、カラー機かモノクロ機か、カラー機の場合は、画像処理における色変換に必要なパラメータの情報等、構成においては、ハードディスクの有無を示すプリンタ能力情報２２２を、スキャナ記憶部２２に記憶し、スキャナ１０からの要求によって応答する。
【００２９】
（スキャナの構成）
スキャナ１０は、スキャナ制御部１１、スキャナ記憶部１２、ＵＳＢインタフェース１３、ネットワークインタフェース１４、スキャナ操作パネル１５、画像読取部１６を有して構成される。
【００３０】
スキャナ制御部１１は、スキャナ記憶部１２、ＵＳＢインタフェース１３、ネットワークインタフェース１４、スキャナ操作パネル１５、画像読取部１６に接続してスキャナ１０全体を統括制御し、特に、スキャナ操作パネル１５のスキャナ表示部１５１における操作メニューおよび各機能に関する設定画面の表示制御を行う表示制御部１１１を有する。
【００３１】
ネットワークインタフェース１４は、ネットワーク４０を介して接続されるＰＣ３０等の機器との間にて、画像読取部１６にて読み取った画像データの転送を含むデータ通信制御を行うための通信インタフェースである。
【００３２】
ＵＳＢインタフェース１３は、ＵＳＢケーブル７０にて接続されるプリンタ２０と、ＵＳＢ規格によるシリアル通信を行う。
【００３３】
スキャナ操作パネル１５は、コピー機能を含むスキャナ１０が提供する各種機能の操作メニューを表示するスキャナ表示部１５１、操作ボタン（不図示）を有する。
【００３４】
スキャナ記憶部１２は、画像の読取処理機能、読み取った画像をプリンタ２０にて印刷するためのコピー機能、読み取った画像データをネットワーク４０を介して接続された装置に転送したり、外部記憶媒体となるメディアに対して保存するセーブ機能を提供するための制御プログラム、制御パラメータを記憶する。
【００３５】
特に、操作メニュー、設定画面の表示制御に関する画面管理情報１２３、プリンタ２０から取得したプリンタ能力情報２２２を所定のデータ形式にて記憶するプリンタ能力情報１２２、スキャナ１０自身の画像読取処理の能力を示すスキャナ能力情報１２１を記憶する。
【００３６】
（プリンタの構成）
プリンタ２０は、プリンタ制御部２１、プリンタ記憶部２２、ＵＳＢインターフェース２３、ネットワークインターフェース２４、プリンタ操作パネル２５を具備する。  
プリンタ制御部２１と、スキャナ１０からＵＳＢインタフェース２３を介して受信したコピージョブ、および、ネットワークインタフェースを介して受信した印刷ジョブによる画像を、ページイメージに展開して印刷用紙に印刷を行うプリントエンジン部（図示せず）への印刷制御を行う。
【００３７】
プリンタ制御部２１はプリンタ２０全体を統括制御し、スキャナ１０からの要求に応じて、プリンタ機種情報、プリンタ能力情報２２２を通知するためのデータ通信制御を行うための、能力情報、プリンタ機種情報通知部２１１を有する。
【００３８】
プリンタ記憶部２２は、プリンタ２０が提供する機能の制御プログラム、制御パラメータを記憶し、特に、ＵＳＢインタフェース２３を介してスキャナ１０に通知するプリンタ機種情報２２１、プリンタ能力情報２２２を記憶する。
【００３９】
（能力情報）
図２は、プリンタ能力情報２２２の例を示す図である。
【００４０】
図２において、プリンタ能力情報２２２は、給紙トレイ構成、排紙トレイ構成、各給紙トレイに搭載可能な印刷用紙の最大サイズ、カラー機、モノクロ機の別、カラー機の場合は、色変換にて使用するパラメータの情報、両面印刷を行う機構の有無、ハードディスク等の装着の有無、記憶容量等の情報を含む。
【００４１】
また、能力情報としてプリンタ２０が管理する情報のうち、「情報通知方向」の欄に※１が設定された情報は、スキャナ１０側からの要求に対する応答によって通知される。
【００４２】
一方、「情報通知方向」の欄に※２が設定された情報は、プリンタ２０が印刷処理を行っている際に、自発的にスキャナ１０に出力して通知される情報である。
【００４３】
（画面管理情報）
次に、画面管理情報１２３の例を図３に示して説明する。
【００４４】
図３に示した画面管理情報１２３は、スキャナ１０がスキャナ表示部１５１にて画面表示制御を行うための制御情報として、メインメニュー６０に表示されスキャナ１０が提供する機能の識別情報である「機能ＩＤ」、機能ＩＤに対応する機能の内容を示す「機能名」、機能毎に設けられた各種設定を分類して表示するタブ切替画面の識別情報を示す「タブ画面」、タブ切替画面毎に表示される項目の識別情報である「表示項目」、項目の表示、非表示のを決定するための判断基準、および、表示する場合においては、選択可能なパラメータの特定に必要なマトリクス表へのリンク情報を記録する「対応能力情報」を記録した情報である。
【００４５】
（拡大、縮小倍率の特定マトリクス）
図４は、プリンタがサポートする用紙の最大定型サイズ、スキャナがサポートする用紙の最大定型サイズの組み合わせによって、決定される選択可能な拡大、縮小倍率の一覧を示したマトリクス表の例を示す図である。
【００４６】
図４のマトリクス表において、スキャナ１０にて読取可能な最大の原稿サイズであって、プリンタ２０に搭載可能な最大用紙サイズである。
【００４７】
スキャナ１０、プリンタ２０にてサポートされる最大用紙サイズの組み合わせから、選択可能な拡大縮小倍率を特定する。
【００４８】
（プレスキャンで検知した画像サイズによる拡大縮小倍率の絞込み表示）
図５は、図４に示した、スキャナ１０の能力情報と、プリンタ２０の能力情報との組みあわせにて決定される拡大、縮小倍率の一覧から、さらに、スキャナ１０の画像読取部１６にセットされた原稿の用紙サイズと、接続されたプリンタ２０に搭載可能な最大用紙サイズとの組み合わせに対応する拡大縮小倍率の一覧を示す表である。
【００４９】
（片面→両面）
図６は、プリンタの能力情報に両面機能が可能な場合、両面印刷が不可能な場合における、原稿読取面と、印刷面の組み合わせパターンの表示対象属性の一覧表を示した図である。
【００５０】
プリンタ２０が両面印刷機能を有しているか否かの情報は、プリンタ能力情報２２２から取得し、スキャナ１０の画像読取部１６によって読取が可能な原稿面は、スキャナ能力情報１２１から取得し、「両面印刷機能有り」、「両面印刷機能無し」それぞれにおいて、○印が設定された表示項目の選択パラメータを表示対象として設定メニューに表示する。
【００５１】
プリンタ２０に両面印刷機能があり、読取原稿においては、両面に画像が印刷されている場合、さらに、スキャナ１０において、読み取った原稿画像を、両面→両面をはじめとするの欄に○印が設定された選択項目をメニュー表示する。
【００５２】
図７は、機能選択メニューにてコピー機能を選択した際、コピー機能の基本設定画面、および、基本設定画面から画質調整画面を選択した場合に、カラー機、モノクロ機それぞれの表示例を示した画面イメージである。
【００５３】
メインメニュー６０でコピー機能を示すアイコン６１が選択されると、コピー機能に関する設定、あるいは、読取画像に対する画像処理、および印刷処理に関する設定を行うための初期画面としてタブ切替形式の基本設定画面６２が表示される。
【００５４】
ユーザは、各タブ切替画面にて表示される所望の設定項目を選択してコピー操作を行う。
【００５５】
例えば、タブ切替画面のひとつである「基本６２」が表示されている状態で、「画質設定６３」、のタブが選択されると、画像読取処理に関する選択項目と、用紙に画像を印刷する際の画像出力処理に関する選択項目がある「画質調整６３」が表示される。
【００５６】
画像読取処理に関しては、スキャナ能力情報１２１から、画像読取部１６における読取解像度、読取可能な原稿サイズ、諧調数等を取得し、画面管理情報にて管理される、「画質調整」に対応する表示項目と、表示項目別のパラメータ値を個別に判断して設定する。
【００５７】
さらに、プリンタ２０がカラー機、あるいは、モノクロ機のいずれであるかを、プリンタ能力情報２２２にて通知される「出力色数」もしくは、プリンタ機種情報から判別する。
【００５８】
判別した結果、プリンタ２０がカラー機である場合、色変換処理に関するパラメータをプリンタ能力情報２２２から取得し、取得したパラメータに基づいてカラー印刷を実施する場合、印刷する画像の明るさのレベル、画質調整に関するパラメータを特定して、例えば、図７の６３１に示すタブ切替画面を表示する。
【００５９】
一方、プリンタ２０がモノクロ機の場合は、色調節に関する表示項目が非表示となる図７の６３２の画面を表示する。
【００６０】
（プリンタの能力情報に応じた拡大、縮小倍率の一覧表示）
図８は、基本設定画面６２に表示される選択倍率をプリンタ２０に給紙可能な用紙サイズの大きさに応じて、選択可能な表示倍率を表示した時の画面イメージである。
【００６１】
基本設定画面６２１で、その他の倍率６２３が選択されると、スキャナ１０は、プリンタ能力情報１２２から、プリンタがＡ３機であるか、あるいは、Ａ４機であるかを判断して、選択可能な拡大、縮小倍率の一覧を、例えば、図８の６２３１、図８の６２３２にて示したマトリクス表に基づいて特定したパラメータを一覧表示する。
【００６２】
（ソート機能）
図９は、スキャナ１０において、プリンタ２０が、ハードディスク等十分な記憶容量を持ち、プリンタ２０にソート、仕分け機能をサポートしているか否かによって表示内容の再構築を行う例を示した画面の表示イメージである。
【００６３】
スキャナ１０は、プリンタ２０から通知されたプリンタ能力情報２２２にて、ハードディスクの装着の有無と、プリンタ２０側が、ページ毎の印刷データを蓄積して、複数部数分のソート印刷機能に対応した機種であるか否かを判断する。
【００６４】
その他のタブ切替画面（図９の６４）が選択されると、プリンタ能力情報２２２に仕分け機能ありが設定されている場合は、仕分けに関する設定項目を表示した図９の６４１に示す内容の画面が表示され、仕分けに機能が無いプリンタ２０が接続されている場合は、仕分け機能の設定項目を非表示にした図９の６４２に示す内容の画面を表示する。
【００６５】
図１０は、スキャナ１０において、プリンタ２０が両面印刷機能を有するか否かによって、原稿の読取面と、出力用紙に対する印刷面の選択可能な組み合わせを特定して表示した時の例を示す画面表示イメージである。
【００６６】
基本のタブ切替画面６２において、両面／片面選択ボタン６２４が選択されると、スキャナ１０は、出力先プリンタ２０が両面印刷機能を有しているか否かをプリンタ能力情報２２２から取得し、スキャナ１０の画像読取部１６によって読取可能な原稿用紙の印刷面は、スキャナ能力情報１２１から取得し、それぞれの組み合わせによって、表示可能な選択肢の一覧を決定する。
【００６７】
例えば、プリンタ２０に両面印刷機能が無い場合、図６に示した選択項目のうち、「両面印刷機能有り」の欄に○印が設定された表示項目の選択パラメータをサブ画面（図１０の６２４１）を表示する。
【００６８】
また、プリンタ２０に両面印刷機能があり、両面印刷された原稿の場合、さらに、スキャナ１０において、読み取った原稿画像を、両面→両面をはじめとする「両面印刷機能無し」の欄に○印が設定された選択項目をサブ画面（図１０の６２４２）に表示する。
【００６９】
（動作説明）
図１１は、スキャナ１０がプリンタ２０の接続を検知して、プリンタ２０からプリンタ能力情報２２２を取得してメインメニュー６０を表示し、メインメニュー６０にてコピー機能が選択された時のスキャナ１０の動作例を示したフローチャートである。
【００７０】
スキャナ１０は、プリンタ２０と接続されたＵＳＢケーブル７０の抜き差し、あるいは、電源リセット、電源ＯＮ操作による接続を検知すると（Ｓ２０１ＹＥＳ）、スキャナ１０は、プリンタ２０に対し、プリンタ能力情報２２２の通知を要求するコマンドをＵＳＢインタフェース１３を介してプリンタ２０に送信してプリンタ記憶部２２にて管理しているプリンタ能力情報２２２をプリンタ２０から取得する（Ｓ２０２）。
【００７１】
スキャナ１０は、メインメニュー６０をスキャナ表示部１５１に表示する（Ｓ２０３）。
【００７２】
メインメニュー６０にて、ユーザによるコピー機能の選択操作を検知すると（Ｓ２０４ＹＥＳ）、スキャナ１０は、コピー機能の初期画面をスキャナ操作パネルの表示部１５１に表示し（Ｓ２０５）、ユーザのコピー機能の設定操作、あるいは、コピー機能に関するタブ切替画面の操作、あるいは、メインメニュー６０への復帰操作を監視する（Ｓ２０６ＮＯ）。
【００７３】
ユーザにるタブ画面の切替イベントを検知すると（Ｓ２０６ＹＥＳ）、スキャナ１０は、遷移先として指定された画面の種別を判別し（Ｓ２０７）、メインメニュー６０への復帰操作、あるいは、所定時間経過後のタイムアウトを検知すると（Ｓ２０７ＹＥＳ）、スキャナ１０は、メインメニュー６０を表示する（Ｓ２０３）。
【００７４】
一方、メインメニュー６０以外の画面が指定された場合（Ｓ２０７ＮＯ）、遷移先の画面種別を画面操作情報にて特定し（Ｓ２０８）、特定した画面種別に対応する表示対象項目のうち、ステップＳ２０２で受信したプリンタ能力情報２２２、画面管理情報１２３にもとづいて表示、非表示を項目ごとに決定し（Ｓ２０９）、遷移先画面への表示切替を行う（Ｓ２１０）。
【００７５】
コピーする原稿が、画像読取部１６にセットされた場合（Ｓ２１１ＹＥＳ）、スキャナ１０は、セットされた原稿サイズを読み取る（Ｓ２１２）。
【００７６】
現在表示中の設定画面において、原稿読取サイズに応じて表示内容の再構築が必要な表示項目がある場合（Ｓ２１３ＹＥＳ）、スキャナ１０は、原稿サイズに適合した表示項目および表示項目の選択パラメータを再抽出して表示内容を更新する（Ｓ２１４）。
【産業上の利用可能性】
【００７７】
本発明のスキャナおよびその操作メニュー表示制御方法は、スキャナにて読み取った画像をプリンタで印刷出力するコピー機能を有するスキャナとプリンタが接続された印刷システムに利用可能であって、とくに、コピー機能をスキャナのＵＩにて利用する場合の表示制御に有効である。
【図面の簡単な説明】
【００７８】
【図１】本発明のスキャナおよびその操作メニュー表示制御方法を適用した印刷システムの構成例、および、プリンタ、スキャナの構成例を示すブロック図。
【図２】プリンタからスキャナに通知される能力情報の例を示す図。
【図３】メインメニューで表示可能な機能毎に、表示する画面の種別と、表示項目を管理する画面管理情報の例を示す図。
【図４】プリンタがサポートする用紙の最大定型サイズ、スキャナがサポートする用紙の最大定型サイズの組み合わせによって、決定される選択可能な拡大、縮小倍率の一覧を示したマトリクス表の例を示す図。
【図５】スキャナのプレスキャン機能にて検知した原稿サイズと、プリンタがサポートする最大用紙サイズとの組み合わせ毎に、選択可能な拡大、縮小サイズの一覧を示したマトリクス表の例を示す図。
【図６】プリンタの能力情報に両面機能が可能な場合、両面印刷が不可能な場合における、原稿読取面と、印刷面の組み合わせパターンの表示対象属性の一覧表を示した図。
【図７】機能選択メニューにてコピー機能を選択した際、コピー機能の基本設定画面、および、基本設定画面から画質調整画面を選択した場合に、カラー機、モノクロ機それぞれの表示例を示した画面イメージ。
【図８】基本設定画面において、プリンタに搭載して給紙可能な最大の用紙サイズに応じて、選択可能なコピー倍率の画面をＡ３機プリンタ、Ａ４機プリンタそれぞれ応じて構築した例を示す画面イメージ。
【図９】プリンタの仕分け機能の有無に応じて表示されるその他設定画面の例を示す画面イメージ。
【図１０】出力先プリンタが、両面印刷機能を有するか否かによって、両面、片面選択ボタンの押下によって表示されるサブ画面の違いを示した画面イメージ。
【図１１】スキャナがプリンタ接続を検知して、プリンタの能力情報を取得してメインメニューを表示し、メインメニューにてコピー機能が選択された時のスキャナの動作例を示したフローチャート。
【符号の説明】
【００７９】
１０    スキャナ
１１    スキャナ制御部
１１１    表示制御部  
１２    スキャナ記憶部
１２１    スキャナ能力情報
１２２    プリンタ能力情報
１２３    画面管理情報
１３    ＵＳＢインタフェース
１４    ネットワークインタフェース
１５    スキャナ操作パネル
１５１    スキャナ表示部
１６    画像読取部
２０    プリンタ
２１    プリンタ制御部
２１１    機種情報、能力情報通知部
２２    プリンタ記憶部
２２１    プリンタ機種情報、
２２２    プリンタ能力情報
２３    ＵＳＢインタフェース
２４    ネットワークインタフェース
２５    プリンタ操作パネル
３０    ＰＣ
４０    ネットワーク
６０    メインメニュー
６１    コピー機能選択アイコン
６２    基本タブ
６２１    基本設定画面（カラープリンタ用）
６２２    基本設定画面（モノクロプリンタ用）
６２３    倍率選択画面
６２３１    倍率選択画面（Ａ３機）
６２３２    倍率選択画面（Ａ４機）
６２４    両面片面設定ボタン
６２４１    両面印刷設定画面（両面印刷機能有り）
６２４２    両面印刷設定画面（両面印刷機能無し）
６３    画質調整設定タブ
６３１    画質調整画面（カラープリンタ用）
６３２    画質調整画面（モノクロプリンタ用）
６４    その他のタブ切替画面
６４１    その他機能設定画面（ＨＤＤ装着プリンタ）
６４２    その他機能設定画面（ＨＤＤ非装備プリンタ）
７０    ＵＳＢケーブル
【図１】
2007088887.tif 000003
【図２】
2007088887.tif 000004
【図３】
2007088887.tif 000005
【図４】
2007088887.tif 000006
【図５】
2007088887.tif 000007
【図６】
2007088887.tif 000008
【図７】
2007088887.tif 000009
【図８】
2007088887.tif 000010
【図９】
2007088887.tif 000011
【図１０】
2007088887.tif 000012
【図１１】
2007088887.tif 000013